(57)【要約】  各種の建築物に配備される窓戸において、より差別化された感性デザインを実現することができ、インテリア効果に優れている他、スリム化が図れる韓紙窓およびこれを備えた窓戸を提供すること。本発明の一実施形態に係る韓紙窓は、多数の水平部材と垂直部材とが互いに交差して構造体を形成する格子部と、前記格子部の一方の側に貼り付けられて感性デザインを向上させる韓紙と、を備える。また、本発明の一実施形態に係る韓紙窓付き窓戸は、壁体に固定された窓枠と、前記窓枠に設けられて左右にスライド変位する窓体と、多数の水平部材と垂直部材とが互いに交差して構造体を形成する格子部および前記格子部の一方の側に貼り付けられて感性デザインを向上させる韓紙を有し、前記窓体に設けられた韓紙窓と、を備えるか、あるいは、壁体に固定された窓枠と、前記窓枠に設けられて左右にスライド変位する内窓および外窓と、多数の水平部材と垂直部材とが互いに交差して構造体を形成する格子部および前記格子部の一方の側に貼り付けられて感性デザインを向上させる韓紙を有し、前記窓体に設けられた韓紙窓と、を備える。
2014526624.tif 000002
【特許請求の範囲】
【請求項１】
多数の水平部材と垂直部材とが互いに交差して構造体を形成する格子部と、
前記格子部の一方の側に貼り付けられて感性デザインを向上させる韓紙と、
を備えることを特徴とする韓紙窓。
【請求項２】
前記格子部が設けられる窓体は、ポリ塩化ビニール（ＰＶＣ）とアルミニウム（Ａｌ）との複合素材から形成されることを特徴とする請求項１に記載の韓紙窓。
【請求項３】
前記格子部が設けられる内窓は、ポリ塩化ビニール（ＰＶＣ）とアルミニウム（Ａｌ）との複合素材から形成されることを特徴とする請求項１に記載の韓紙窓。
【請求項４】
前記韓紙窓は、単窓、奥座敷二重窓および外部二重窓のうちの１種であることを特徴とする請求項１から３のいずれか一項に記載の韓紙窓。
【請求項５】
壁体に固定された窓枠と、
前記窓枠に設けられて左右にスライド変位する窓体と、
多数の水平部材と垂直部材とが互いに交差して構造体を形成する格子部および前記格子部の一方の側に貼り付けられて感性デザインを向上させる韓紙を有し、前記窓体に設けられた韓紙窓と、
を備えることを特徴とする韓紙窓付き窓戸。
【請求項６】
前記格子部は、ポリ塩化ビニール（ＰＶＣ）とアルミニウム（Ａｌ）との複合素材から形成されることを特徴とする請求項５に記載の韓紙窓付き窓戸。
【請求項７】
壁体に固定された窓枠と、
前記窓枠に設けられて左右にスライド変位する内窓および外窓と、
多数の水平部材と垂直部材とが互いに交差して構造体を形成する格子部および前記格子部の一方の側に貼り付けられて感性デザインを向上させる韓紙を有し、窓体に設けられた韓紙窓と、
を備えることを特徴とする韓紙窓付き窓戸。
【請求項８】
前記内窓は、ポリ塩化ビニール（ＰＶＣ）とアルミニウム（Ａｌ）との複合素材から形成されることを特徴とする請求項７に記載の韓紙窓付き窓戸。
【請求項９】
前記韓紙窓は、単窓、奥座敷二重窓および外部二重窓のうちのいずれか１種であることを特徴とする請求項５から８のいずれか一項に記載の韓紙窓付き窓戸。
【発明の詳細な説明】
【技術分野】
【０００１】
本発明は、韓紙窓およびこれを備えた窓戸に係り、さらに詳しくは、各種の建築物に配備される窓戸において、より差別化された感性デザインを実現することができ、インテリア効果に優れている他、スリム化が図れる韓紙窓およびこれを備えた窓戸に関する。
【背景技術】
【０００２】
一般に、マンション、アパートや住宅、住商複合ビルなどの各種の建築物には窓戸が設けられている。すなわち、引違い窓戸の場合に、部屋や居間などの壁体に窓枠が設けられ、前記窓枠に窓体が設けられて左右にスライド変位するようになっている。
【０００３】
また、前記窓枠には、通常、ガラスが嵌め込まれ、このようなガラスを介して部屋や居間の外部状況を覗き見るようになっており、機能性や断熱性には優れているとはいえ、見栄えが悪い。
【０００４】
さらに、従来の窓戸は、前記ガラスが単に透明材質から形成されて窓枠に嵌め込まれる構造を有するため、より差別化された感性デザインを実現することが困難であるという欠点がある。
【０００５】
すなわち、ガラスそのものが、硅砂、炭酸ナトリウム、炭酸カルシウムなどを高温下で溶かした後に冷却して得られるものであり、環境にやさしい素材であるとはいえず、インテリア効果が期待し難い。
【０００６】
また、前記ガラスが嵌め込まれる窓枠の主素材がポリ塩化ビニール（ＰＶＣ）であり、ガラスを支えるために所定以上の大きさ（幅Ｗおよび高さＨ）を有さなければならないため、スリム化が図り難いという欠点がある。
【０００７】
この理由から、より差別化された感性デザインが実現可能であり、インテリア効果に優れている他、スリム化が図れる窓戸の開発が至急望まれるのが現状である。
【発明の概要】
【発明が解決しようとする課題】
【０００８】
本発明は上記事情に鑑みてなされたものであり、その目的は、ユーザの温もり、心地よさおよび親しさを刺激して既存のガラスに比べてより差別化された感性デザインが実現可能であり、インテリア効果を向上させることのできる韓紙窓およびこれを備えた窓戸を提供することである。
【０００９】
本発明の他の目的は、窓枠や内窓の大きさ（幅Ｗおよび高さＨ）を縮小することができてスリム化が図れる韓紙窓およびこれを備えた窓戸を提供することである。
【課題を解決するための手段】
【００１０】
上述した目的を達成するために、本発明は、多数の水平部材と垂直部材とが互いに交差して構造体を形成する格子部と、前記格子部の一方の側に貼り付けられて感性デザインを向上させる韓紙と、を備える韓紙窓を提供する。
【００１１】
好ましくは、本発明において、前記格子部が設けられる窓体または内窓は、ポリ塩化ビニール（ＰＶＣ）とアルミニウム（Ａｌ）との複合素材から形成される。
【００１２】
また、好ましくは、本発明において、前記韓紙窓は、単窓、奥座敷二重窓および外部二重窓のうちの１種である。
【００１３】
また、上述した目的を達成するために、本発明は、壁体に固定された窓枠と、前記窓枠に設けられて左右にスライド変位する窓体と、多数の水平部材と垂直部材とが互いに交差して構造体を形成する格子部および前記格子部の一方の側に貼り付けられて感性デザインを向上させる韓紙を有し、前記窓体に設けられた韓紙窓と、を備える韓紙窓付き窓戸を提供する。
【００１４】
さらに、上述した目的を達成するために、本発明は、壁体に固定された窓枠と、前記窓枠に設けられて左右にスライド変位する内窓および外窓と、多数の水平部材と垂直部材とが互いに交差して構造体を形成する格子部および前記格子部の一方の側に貼り付けられて感性デザインを向上させる韓紙を有し、前記窓体に設けられた韓紙窓と、を備える韓紙窓付き窓戸を提供する。
【発明の効果】
【００１５】
本発明に係る韓紙窓およびこれを備えた窓戸によれば、下記の効果が得られる。
【００１６】
先ず、第一に、窓体または内窓の内部に設けられた格子部の一方の側に貼り付けられた伝統的な素材である韓紙によってユーザの温もり、心地よさおよび親しさを刺激して既存のガラスに比べてより差別化された感性デザインが実現可能であり、しかも、インテリア効果を向上させることができる。
【００１７】
第二に、窓枠または内窓の素材としてポリ塩化ビニール（ＰＶＣ）とアルミニウム（Ａｌ）との複合素材を採用することにより、ポリ塩化ビニール（ＰＶＣ）のみからなる従来の比べて素材の多変化がなされて、窓枠や内窓の大きさ（幅Ｗおよび高さＨ）を縮小することができてスリム化が図れる。
【図面の簡単な説明】
【００１８】
【図１】本発明に係る韓紙窓付き窓戸を示す写真である。
【図２】本発明の一実施形態に係る韓紙窓付き窓戸を示す断面図である。
【図３】本発明の他の実施形態に係る韓紙窓付き窓戸を示す断面図である。
【図４】本発明のさらに他の実施形態に係る韓紙窓付き窓戸を示す断面図である。
【図５】図２に示す韓紙窓付き窓戸の部分切欠斜視図である。
【図６】図３に示す韓紙窓付き窓戸の部分切欠斜視図である。
【図７】図４に示す韓紙窓付き窓戸の部分切欠斜視図である。
【図８】格子の加工および組立てを示す模式図である。
【発明を実施するための形態】
【００１９】
以下、添付図面に基づき、本発明の好適な実施形態に係る韓紙窓およびこれを備えた窓戸について説明する。
【００２０】
以下で用いられる用語や単語は通常的または辞書的な意味に限定して解釈されてはならず、発明者は、自分の発明を最良の方法により説明するために用語の概念を適切に定義することができるという原則に即して、本発明の技術的思想に見合う意味と概念として解釈さるべきである。
【００２１】
第１実施形態
図１は、本発明に係る韓紙窓付き窓戸を示す写真であり、図２は、本発明の一実施形態に係る韓紙窓付き窓戸を示す断面図であり、図５は、図２に示す韓紙窓付き窓戸の部分切欠斜視図である。
【００２２】
本発明の一実施形態に係る図２および図５の韓紙窓付き窓戸は、表窓なし一重窓、すなわち、単窓である。
【００２３】
図２および図５を参照すると、窓枠１０の長手方向に沿って敷設されるレール１２の上に窓体１４がスライド変位可能に設けられている。
【００２４】
このとき、前記窓体１４は、ポリ塩化ビニール（ＰＶＣ）とアルミニウム（Ａｌ）との複合素材から製作される。すなわち、室内側においてユーザの手と直接的に接触される窓体はアルミニウム（Ａｌ）素材から製作され、且つ、室外側においてユーザと直接的に接触されない窓体はポリ塩化ビニール（ＰＶＣ）素材から製作される。
【００２５】
これにより、ポリ塩化ビニール（ＰＶＣ）のみからなる従来の比べて素材の多変化がなされて、窓枠や内窓の大きさ（幅Ｗおよび高さＨ）を縮小することができてスリム化が図れる。
【００２６】
また、前記窓枠１０や窓体１４のアルミニウム表面に木模様付きフィルムを被覆する場合に、天然木の感じを与えることができる。
【００２７】
さらに、前記窓体１４の内部には、多数の水平部材１６ａと垂直部材１６ｂとが互いに交差して構造体を形成する格子部１６が設けられ、前記格子部の一方の側に感性デザインを向上させるための韓紙１８が貼り付けられている。
【００２８】
前記水平部材１６ａおよび垂直部材１６ｂは、公知の格子加工機（図示せず）を用いて格子組立溝を加工した後に、格子組立具を用いて格子を組み立てる。
【００２９】
図８は、格子の加工および組立を示す模式図であり、同図を参照すると、格子部１６の中央は平らな組立具を用いて格子を組み立て、各縁部は「フ」字状の組立具を用いて格子を組み立てる。
【００３０】
前記韓紙は調湿性に優れているため四季の湿度の変化が激しい韓国の気候に適しており、通気性がよく、しかも、有害空気および悪臭の除去にも有効であるため、最近、環境にやさしい建築仕上げ材として脚光を浴びている。
【００３１】
何よりも、前記韓紙は伝統的な素材であって、ユーザの温もり、心地よさおよび親しさを刺激して既存のガラスに比べてより差別化された感性デザインが実現可能であり、しかも、インテリア効果を向上させることができる。
【００３２】
第２実施形態
図３は、本発明の他の実施形態に係る韓紙窓付き窓戸を示す断面図であり、図６は、図３に示す韓紙窓付き窓戸の部分切欠斜視図である。
【００３３】
図３および図６に示すように、本発明の他の実施形態に係る韓紙窓付き窓戸は、二重窓、特に、奥座敷二重窓（内窓二重窓）である。
【００３４】
図３および図６を参照すると、窓枠２０の長手方向に沿って敷設されたレール２２の上に内窓２４および外窓２６がスライド変位可能に設けられている。
【００３５】
このとき、室内側に設けられる前記内窓２４は、ポリ塩化ビニール（ＰＶＣ）とアルミニウム（Ａｌ）との複合素材から製作される。これにより、素材の多変化がなされて内窓２４の大きさ（幅Ｗおよび高さＨ）を縮小することができてスリム化が図れる。
【００３６】
また、前記内窓２４のアルミニウム表面に木模様付きフィルムを被覆する場合に、天然木の感じを与えることができる。
【００３７】
さらに、前記内窓２４の内部には多数の水平部材２４ａ−１と垂直部材２４ａ−２とが互いに交差して構造体を形成する格子部２４ａが設けられ、前記格子部の一方の側に感性デザインを向上させるための韓紙２８が貼り付けられている。
【００３８】
前記水平部材２４ａ−１および垂直部材２４ａ−２は、上述した公知の格子加工機を用いて格子組立溝を加工した後に格子組立具を用いて格子を組み立てる。
【００３９】
第３実施形態
図４は、本発明のさらに他の実施形態に係る韓紙窓付き窓戸を示す断面図であり、図７は、図４に示す韓紙窓付き窓戸の部分切欠斜視図である。
【００４０】
図４および図７に示すように、本発明のさらに他の実施形態に係る韓紙窓付き窓戸は、二重窓、特に、外部二重窓（外窓二重窓）である。
【００４１】
図４および図７を参照すると、窓枠３０の長手方向に沿って敷設されたレール３２の上に内窓３４および外窓３６がスライド変位可能に設けられている。
【００４２】
このとき、室内側に設けられる前記内窓３４は、ポリ塩化ビニール（ＰＶＣ）とアルミニウム（Ａｌ）との複合素材から製作される。これにより、素材の多変化がなされて内窓３４の大きさ（幅Ｗおよび高さＨ）を縮小することができてスリム化が図れる。
【００４３】
また、前記内窓３４のアルミニウム表面に木模様付きフィルムを被覆する場合に、天然木の感じを与えることができる。
【００４４】
さらに、前記内窓３４の内部には、多数の水平部材３４ａ−１と垂直部材３４ａ−２とが互いに交差して構造体を形成する格子部３４ａが設けられ、前記格子部の一方の側に感性デザインを向上させるための韓紙３８が貼り付けられている。
【００４５】
前記水平部材３４ａ−１および垂直部材３４ａ−２は、上記の公知の格子加工機を用いて格子組立溝を加工した後に格子組立具を用いて格子を組み立てる。
【００４６】
以上、本発明に係る韓紙窓およびこれを備えた窓戸について上述したが、本明細書に開示されている実施形態と図面によって本発明は何ら限定されるものではなく、その発明の技術思想の範囲内において当業者によって種々の変形がなされうるということはいうまでもない。
【符号の説明】
【００４７】
１０、２０、３０  窓枠
１２、２２、３２  レール
１４  窓体
１６、２４ａ、３４ａ  格子部
２４、３４  内窓
２６、３６  外窓
１８、２８、３８  韓紙
【図１】
2014526624.tif 000003
【図２】
2014526624.tif 000004
【図３】
2014526624.tif 000005
【図４】
2014526624.tif 000006
【図５】
2014526624.tif 000007
【図６】
2014526624.tif 000008
【図７】
2014526624.tif 000009
【図８】
2014526624.tif 000010
【国際調査報告】
2014526624.tif 000011
2014526624.tif 000012
2014526624.tif 000013
2014526624.tif 000014